(57)【要約】【課題】洗浄性に優れ、リンス剤を用いなくても食器の乾燥を速め、ウォータースポットの低減を可能にする食器洗浄機用粉体洗浄剤組成物を提供する。【解決手段】（Ａ）特定の構成単位（ａ１）、（ａ２）、及び（ａ３）を含有する水溶性高分子化合物と、（Ｂ）界面活性剤と、（Ｃ）ビルダーとを含有する食器洗浄機用洗浄剤組成物。【選択図】なし【特許請求の範囲】
【請求項１】
（Ａ）下記一般式（１）で表される構成単位（ａ１）、下記一般式（２）で表される構成単位（ａ２）、及び下記一般式（３）で表される構成単位（ａ３）を含有する水溶性高分子化合物と、（Ｂ）界面活性剤と、（Ｃ）ビルダーとを含有する食器洗浄機用洗浄剤組成物。
【化１】
2007254586.tif 000005
〔式中、Ｒは炭素数１〜３のアルキル基であり、Ｘは分子中にカチオン基を有し且つビニルアルコール低級脂肪酸エステルと共重合可能な不飽和化合物に由来する構成単位である。〕
【請求項２】
前記（Ａ）の構成単位中、構成単位（ａ１）、構成単位（ａ２）及び構成単位（ａ３）の合計が５０〜１００モル％である請求項１記載の食器洗浄機用洗浄剤組成物。
【請求項３】
前記（Ａ）の構成単位中、構成単位（ａ３）が０．００１〜１０モル％である請求項１又は２記載の食器洗浄機用洗浄剤組成物。
【請求項４】
前記（Ａ）の構成単位中、構成単位（ａ３）が下記一般式（３-１）で表される化合物及び下記一般式（３-２）で表される化合物から選ばれる化合物に由来するものである請求項１〜３の何れか１項記載の食器洗浄機用洗浄剤組成物。
【化２】
2007254586.tif 000006
［式中、Ｒ1 、Ｒ2 、Ｒ3 、Ｒ7 、Ｒ8 、Ｒ9 は、それぞれ独立して、水素原子、水酸基又は炭素数１〜３のアルキル基である。Ｘ、Ｙは、それぞれ独立して、炭素数１〜１２のアルキレン基、−ＣＯＯＲ12 −、−ＣＯＮＨＲ12 −、−ＯＣＯＲ12 −、−Ｒ13 −ＯＣＯ−Ｒ12 −から選ばれる基である。ここでＲ12 、Ｒ13 は、それぞれ独立して、炭素数１〜５のアルキレン基である。Ｒ4 は炭素数１〜３のアルキル基もしくはヒドロキシアルキル基又はＲ1 Ｒ2 Ｃ＝Ｃ(Ｒ3)−Ｘ−である。Ｒ5 は炭素数１〜３のアルキル基、ヒドロキシアルキル基、ベンジル基であり、Ｒ6 はヒドロキシ基、カルボキシル基、スルホン酸基、硫酸エステル基で置換されていてもよい炭素数１〜１０のアルキル基、又はベンジル基であり、Ｒ6 がアルキル基、ヒドロキシアルキル基、又はベンジル基の場合は、Ｚ-は陰イオンを示す。Ｒ6 がカルボキシル基、スルホン酸基、硫酸エステル基を含む場合、Ｚ-は存在せず、Ｒ6 中のこれらの基は陰イオンとなる。Ｒ10 は水素原子、炭素数１〜３のアルキル基もしくはヒドロキシアルキル基又はＲ7 Ｒ8 Ｃ＝Ｃ(Ｒ9)−Ｙ−である。Ｒ11 は水素原子、炭素数１〜３のアルキル基もしくはヒドロキシアルキル基である。］
【請求項５】
前記（Ｃ）ビルダーを１６〜９５重量％含有する請求項１〜４の何れか１項記載の食器洗浄機用洗浄剤組成物。
【請求項６】
請求項１〜５の何れか１項記載の食器洗浄機用洗浄剤組成物を用いて食器洗浄機により食器を洗浄し、その後、リンス剤を含有しない濯ぎ水により濯ぎ処理を行う、食器の洗浄方法。
【発明の詳細な説明】
【技術分野】
【０００１】
本発明は食器洗浄機で使用するための洗浄剤組成物に関するものである。特に業務用の食器洗浄機で使用するための洗浄剤組成物に関するものである。
【背景技術】
【０００２】
食器洗浄機は汚れた皿、グラス、料理器具などの食器を洗浄する設備であり、家庭やレストラン、喫茶店などの厨房で使用されている。通常、食器洗浄は洗浄工程―濯ぎ工程の順で行われ、洗浄工程には手洗い用食器洗浄剤と異なる、無泡性或いは低泡性の食器洗浄機用洗浄剤が使用されている。また、レストラン、喫茶店などの厨房で使用されている業務用食器洗浄機には濯ぎ工程でリンス剤が使用されている。
【０００３】
リンス剤は食器の乾燥を速め、ウォータースポットとよばれる白斑を低減して美観良く仕上げるために使用されている。ウォータースポットは食器表面に付着した水滴が流れ落ちる前に乾燥して、カルシウム、マグネシウム、シリカなどの硬度成分が食器表面に沈着したものである。
【０００４】
一般的にリンス剤にはグリセリン脂肪酸エステルやソルビタン脂肪酸エステルなどのノニオン性界面活性剤が配合されており、濯ぎ水を乳化して食器との表面張力を下げて水滴を流れ落ちやすくする。その結果、食器の乾燥が速くなり、ウォータースポットを低減させることができる。したがって、食器の使用頻度が高いレストランや喫茶店ではリンス剤を使用している。
【０００５】
しかし、リンス剤にはウォータースポットを低減する効果は認められるものの、決して満足できるものではない。特に、プラスチックの食器表面は疎水性のため、現状のリンス剤では食器との表面張力を下げることが困難であり、ウォータースポットを低減する効果に劣るものが多い。また、リンス剤は濯ぎ工程で使用されるため、洗浄工程で使用される洗浄剤とは異なる供給装置が必要である。更に、リンス剤の購入費や在庫管理費が必要となり、レストランや喫茶店では大きな負担となっているのが実状である。
【０００６】
特許文献１には、正電荷を含むポリマー、リン酸塩スケール形成を抑制する水溶性ポリマーを含有し、塩化ナトリウムや濯ぎ補助組成物の非存在下でも優れた洗浄効果とガラス外観を示す食器洗浄組成物が開示されている。特許文献２、３には、カチオン性ないし両性のポリマーを食器洗浄機の洗浄剤に用いることが開示されている。特許文献４、５には、両性のポリマーを食器洗浄機の洗浄剤に用いることが開示されている。
【特許文献１】特表２００４−５０８４５６号公報
【特許文献２】国際公開第９９／５８６３３号パンフレット
【特許文献３】欧州特許出願公開第０８３５９２５号明細書
【特許文献４】特表２００３−５０５５３５号公報
【特許文献５】特表２００５−５２７６８６号公報
【発明の開示】
【発明が解決しようとする課題】
【０００７】
本発明の課題は、陶磁器、ガラス、プラスチックなどの食器の洗浄において、洗浄性に優れ、リンス剤を用いなくても、食器の乾燥を速め、ウォータースポットの低減を可能にする食器洗浄機用洗浄剤組成物を提供することにある。特に、プラスチック食器の乾燥を速め、ウォータースポットの低減を可能にする食器洗浄機用洗浄剤組成物を提供することにある。
【課題を解決するための手段】
【０００８】
本発明は、本発明は、（Ａ）下記一般式（１）で表される構成単位（ａ１）、下記一般式（２）で表される構成単位（ａ２）、及び下記一般式（３）で表される構成単位（ａ３）を含有する水溶性高分子化合物〔以下、（Ａ）成分という〕と、（Ｂ）界面活性剤〔以下、（Ｂ）成分という〕と、（Ｃ）ビルダー〔以下、（Ｃ）成分という〕とを含有する食器洗浄機用洗浄剤組成物に関する。
【０００９】
【化３】
2007254586.tif 000002
【００１０】
〔式中、Ｒは炭素数１〜３のアルキル基であり、Ｘは分子中にカチオン基を有し且つビニルアルコール低級脂肪酸エステルと共重合可能な不飽和化合物に由来する構成単位である。〕
【発明の効果】
【００１１】
本発明によれば、陶磁器、ガラス、プラスチックなどの食器の洗浄に用いたときに、洗浄性に優れ、濯ぎ水等にリンス剤を用いなくても食器の乾燥を速め、ウォータースポットの低減を可能にする食器洗浄機用洗浄剤組成物が提供される。特に、プラスチック食器の乾燥を速め、ウォータースポットの低減を可能にする食器洗浄機用洗浄剤組成物が提供される。
【発明を実施するための最良の形態】
【００１２】
＜（Ａ）成分＞
構成単位（ａ１）と構成単位（ａ２）と構成単位（ａ３）とを有する（Ａ）成分の水溶性高分子化合物は、構成単位（ａ２）の由来となる単量体化合物と構成単位（ａ３）の由来となる単量体化合物とを共重合し、部分的にケン化することで得ることができる。例えば、一般式（２）中のＲがメチル基である高分子化合物として、重合性カチオン単量体（構成単位（ａ３）の由来となる化合物）と酢酸ビニルの共重合体を部分ケン化することで得られるカチオン化ポリビニルアルコールを使用することができる。
【００１３】
構成単位（ａ１）及び構成単位（ａ２）のモル比は、溶解性および仕上がり性の観点から、（ａ１）／（ａ２）が１，０００〜１、更に５００〜１、より更に３００〜１、特に２００〜１、最も１００〜２が好ましい。
【００１４】
ここで、構成単位（ａ３）の由来となる単量体化合物は、分子中に１つ以上のカチオン基を有し、且つビニルアルコール低級（炭素数１〜３）脂肪酸エステル（構成単位（ａ１）、（ａ２）の由来となる単量体化合物）と共重合可能な化合物であり、下記一般式（３-１）で表される化合物及び下記一般式（３-２）で表される化合物から選ばれる化合物が挙げられる。
【００１５】
【化４】
2007254586.tif 000003
【００１６】
［式中、Ｒ1 、Ｒ2 、Ｒ3 、Ｒ7 、Ｒ8 、Ｒ9 は、それぞれ独立して、水素原子、水酸基又は炭素数１〜３のアルキル基である。Ｘ、Ｙは、それぞれ独立して、炭素数１〜１２のアルキレン基、−ＣＯＯＲ12 −、−ＣＯＮＨＲ12 −、−ＯＣＯＲ12 −、−Ｒ13 −ＯＣＯ−Ｒ12 −から選ばれる基である。ここでＲ12 、Ｒ13 は、それぞれ独立して、炭素数１〜５のアルキレン基である。Ｒ4 は炭素数１〜３のアルキル基もしくはヒドロキシアルキル基又はＲ1 Ｒ2 Ｃ＝Ｃ(Ｒ3)−Ｘ−である。Ｒ5 は炭素数１〜３のアルキル基、ヒドロキシアルキル基、ベンジル基であり、Ｒ6 はヒドロキシ基、カルボキシル基、スルホン酸基、硫酸エステル基で置換されていてもよい炭素数１〜１０のアルキル基、又はベンジル基であり、Ｒ6 がアルキル基、ヒドロキシアルキル基、又はベンジル基の場合は、Ｚ-は陰イオンを示す。Ｒ6 がカルボキシル基、スルホン酸基、硫酸エステル基を含む場合、Ｚ-は存在せず、Ｒ6 中のこれらの基は陰イオンとなる。Ｒ10 は水素原子、炭素数１〜３のアルキル基もしくはヒドロキシアルキル基又はＲ7 Ｒ8 Ｃ＝Ｃ(Ｒ9)−Ｙ−である。Ｒ11 は水素原子、炭素数１〜３のアルキル基もしくはヒドロキシアルキル基である。］
【００１７】
構成単位（ａ３）の由来となる具体的な単量体化合物としては、ジアリルジアルキル（該アルキル基の炭素数は１〜３）アンモニウム塩、Ｎ-（メタ）アクリロイルアミノアルキル（該アルキル基の炭素数は１〜５）-Ｎ，Ｎ-ジアルキル（該アルキル基の炭素数は１〜３）アンモニウム塩、Ｎ-（メタ）アクリロイルアミノアルキル（該アルキル基の炭素数は１〜５）-Ｎ，Ｎ，Ｎ-トリアルキル（該アルキル基の炭素数は１〜３）アンモニウム塩、Ｎ-（メタ）アクリロイルオキシアルキル（該アルキル基の炭素数は１〜５）-Ｎ，Ｎ，Ｎ-トリアルキル（アルキル基の炭素数は１〜３）アンモニウム塩、及びＮ-（ω-アルケニル（該アルケニル基の炭素数は２〜１０））-Ｎ，Ｎ-ジアルキル（該アルキル基の炭素数は１〜３）アンモニウム塩から選ばれる化合物が挙げられる。
【００１８】
（Ａ）成分の構成単位中、構成単位（ａ１）、構成単位（ａ２）及び構成単位（ａ３）の合計は、仕上がり性の観点から、５０〜１００モル％、更に６０〜１００モル％、特に８０〜１００モル％が好ましい。
【００１９】
（Ａ）成分の構成単位中、カチオン基を含む構成単位（ａ３）は、仕上がり性の観点から、０．００１〜１０モル％、更に０．００５〜５モル％、特に０．０１〜３モル％が好ましい。
【００２０】
（Ａ）成分は、ノニオン性モノマーに由来する構造単位〔以下、構成単位（ａ４）という〕を含むこともできる。構成単位（ａ４）としては、下記（ｉ）〜（iii）から選ばれるモノマーが挙げられる。
【００２１】
（ｉ）アクリル（又はメタクリル）アミド、Ｎ，Ｎ−ジメチルアミノプロピルアクリル酸（又はメタクリル酸）アミド、Ｎ，Ｎ−ジメチルアクリル（又はメタクリル）アミド、Ｎ，Ｎ−ジメチルアミノエチルアクリル酸（又はメタクリル酸）アミド、Ｎ，Ｎ−ジメチルアミノメチルアクリル酸（又はメタクリル酸）アミド、Ｎ−ビニル−２−カプロラクタム、Ｎ−ビニル−２−ピロリドンから選ばれるアミド基含有化合物
【００２２】
（ii）アクリル酸（又はメタクリル酸）アルキル（炭素数１〜５）、アクリル酸（又はメタクリル酸）２−ヒドロキシエチル、アクリル酸（又はメタクリル酸）−Ｎ，Ｎ−ジメチルアミノアルキル（炭素数１〜５）、マレイン酸ジアルキル（炭素数１〜５）から選ばれるエステル基含有化合物
【００２３】
（iii）エチレン、プロピレン、ｎ−ブチレン、イソブチレン、ｎ−ペンテン、イソプレン、２−メチル−１−ブテン、ｎ−ヘキセン、２−メチル−１−ペンテン、３−メチル−１−ペンテン、４−メチル−１−ペンテン、２−エチル−１−ブテン、スチレン、ビニルトルエン、α−メチルスチレンから選ばれるオレフィン系化合物
【００２４】
（Ａ）成分の重量平均分子量は１０，０００〜１，０００，０００、更に１０，０００〜５００，０００、特に１０，０００〜２００，０００が好ましい。ここでいう重量平均分子量は、ゲルパーミエーションクロマトグラフィーでポリエチレングルコールを標準として求めることができる。
【００２５】
＜（Ｂ）成分＞
（Ｂ）成分としては、アニオン性界面活性剤、カチオン性界面活性剤、両性界面活性剤、ノニオン性界面活性剤から選ばれる１種以上を用いることができる。
【００２６】
アニオン性界面活性剤としては、アルキルベンゼンスルホン酸塩、アルカンスルホン酸塩、α−オレフィンスルホン酸塩、アルキル硫酸エステル塩、ポリオキシエチレン（平均付加モル数１〜１０）アルキルエーテル硫酸エステル塩、ポリオキシエチレン（平均付加モル数１〜１０）アルキルエーテル酢酸塩、脂肪酸塩等を挙げることができる。また、塩としてはアンモニウム塩、ナトリウム塩又はカリウム塩が好ましい。
【００２７】
カチオン性界面活性剤としては、アルキルトリメチルアンモニウム塩、ジアルキルジメチルアンモニウム塩、アルキルアンモニウム塩、ベンザルコニム塩、ベンゼトニウム塩、イミダゾリウム塩、ピリジニウム塩等を挙げることができる。また、塩としてはハロゲンが好ましい。
【００２８】
両性界面活性剤としては、アルキルジメチルアミンオキサイド、アルキルジメチルアミノ酢酸ベタイン、アルキルヒドロキシスルホベタイン、アルキルアミドプロピルベタイン、アルキルカルボキシメチルヒドロキシエチルイミダゾリウムベタイン等を挙げることができる。
【００２９】
ノニオン性界面活性剤としては、グリセリン脂肪酸エステル、ポリグリセリン脂肪酸エステル、プロピレングリコール脂肪酸エステル、ポリエチレングリコール脂肪酸エステル、ソルビタン脂肪酸エステル、ショ糖脂肪酸エステル、ポリオキシエチレンソルビタン脂肪酸エステル、アルキルポリグルコシド、ポリオキシエチレンアルキルエーテル、ポリオキシエチレンジアルキルエーテル、ポリオキシエチレングリコール、ポリオキシエチレンポリオキシプロピレングリコール、ポリオキシプロピレンポリオキシエチレンポリオキシプロピレングリコール等を挙げることができる。
【００３０】
（Ｂ）成分としては、低泡性及び洗浄性の観点から、下記式（４）で表されるノニオン性界面活性剤〔以下、（Ｂ１）成分という〕が好ましい。
Ｒ14−（ＡＯ）n−Ｒ15        （４）
［式中、Ｒ14、Ｒ15は、それぞれ独立して、水素原子、又は直鎖もしくは分岐鎖の炭素数１〜２４のアルキル基である。ｎは平均付加モル数であり、１〜５００の数である。Ａは同一又は異なってエチレン基、プロピレン基、又はブチレン基である。］
【００３１】
（Ｂ１）成分中、Ｒ14、Ｒ15はそれぞれ独立して、好ましくは水素原子、又は直鎖もしくは分岐鎖の炭素数６〜１８のアルキル基、より好ましくは水素原子、又は直鎖もしくは分岐鎖の炭素数８〜１４のアルキル基である。ｎは平均付加モル数であり、好ましくは１〜４００、より好ましくは１〜３５０、更に好ましくは１〜２００、特に好ましくは１〜１００の数である。Ａは同一又は異なって、好ましくはエチレン基、プロピレン基である。（Ｂ１）成分は、「プルラファック」（Plurafac）の商品名でＢＡＳＦ社から入手可能である。
【００３２】
更に、洗浄性、無泡性や低泡性の観点から、（Ｂ）成分としては、下記式（５）で表されるノニオン性界面活性剤及び式（６）で表されるノニオン性界面活性剤からなる群より選ばれる１種以上のノニオン性界面活性剤〔以下、（Ｂ２）成分という〕が好ましい。
HO(CH2CH2O)a(CH(CH3)CH2O)b(CH2CH2O)cH          （５）
HO(CH(CH3)CH2O)d(CH2CH2O)e(CH(CH3)CH2O)fH      （６）
〔式中、ａ、ｂ、ｃ、ｄ、ｅ及びｆは平均付加モル数であり、それぞれ独立して、１〜３５０の数である。〕
【００３３】
一般式（５）、（６）において、ａ、ｂ、ｃ、ｄ、ｅ及びｆは、エチレンオキシド（以下、ＥＯと表記する）ないしプロピレンオキシド（以下、ＰＯと表記する）の平均付加モル数であり、それぞれ独立して、１〜３５０の数である。
【００３４】
（Ｂ２）成分は、何れも、ＥＯとＰＯの合計中、ＥＯを１０モル％以上含むことが好ましく、これを満たすようにａ、ｂ、ｃ、ｄ、ｅ及びｆを選定することが好ましい。
【００３５】
また、（Ｂ２）成分の重量平均分子量は、１，０００〜１５，０００が好ましく、より好ましくは１，５００〜６，０００である。（Ｂ２）成分は、「プルロニック」（Pluronic）、「プルロニックＲ」の商品名でＢＡＳＦ社から入手可能である。（Ｂ２）成分としては、低泡性の観点から、式（５）のノニオン性界面活性剤が好ましい。
【００３６】
＜（Ｃ）成分＞
（Ｃ）成分の作用としては、金属キレート作用、アルカリ緩衝作用、及び固体粒子分散作用が重要である。
【００３７】
無機系の（Ｃ）成分としては、炭酸塩、リン酸塩、珪酸塩、硫酸塩等が挙げられる。具体的には、炭酸ナトリウム、炭酸カリウム、ピロリン酸ナトリウム、ピロリン酸カリウム、トリポリリン酸ナトリウム、オルソリン酸ナトリウム、ヘキサメタリン酸ナトリウム、硫酸ナトリウム、珪酸ナトリウム、珪酸カリウム、メタ珪酸ナトリウムなどが挙げられる。
【００３８】
有機系の（Ｃ）成分としては、（イ）エタン−１，１−ジホスホン酸、エタン−１，２−ジホスホン酸、エタン−１−ヒドロキシ−１，１−ジホスホン酸及びその誘導体、エタンヒドロキシ−１，１，２−トリホスホン酸、エタン−１，２−ジカルボキシ−１，２−ジホスホン酸、メタンヒドロキシホスホン酸などのホスホン酸の塩、（ロ）２−ホスホノブタン−１，２−ジカルボン酸、１−ホスホノブタン−２，３，４−トリカルボン酸、α−メチルホスホノコハク酸などのホスホノカルボン酸の塩、（ハ）アスパラギン酸、グルタミン酸などのアミノ酸の塩、（ニ）ニトリロ三酢酸塩、エチレンジアミン四酢酸塩などのアミノポリ酢酸塩、（ホ）ジグリコール酸、オキシジコハク酸、カルボキシメチルオキシコハク酸、シクロペンタン−１，２，３，４−テトラカルボン酸、テトラヒドロフラン−１，２，３，４−テトラカルボン酸、テトラヒドロフラン−２，２，５，５−テトラカルボン酸、クエン酸、乳酸、酒石酸、シュウ酸、スルホコハク酸、リンゴ酸、グルコン酸などの有機酸の塩、（ヘ）ポリアクリル酸塩、アクリル酸−マレイン酸コポリマー及びその塩などが挙げられる。
【００３９】
（Ｃ）成分としては、洗浄性、金属イオン封鎖性、及び再汚染防止性の観点から、炭酸ナトリウム、炭酸カリウム、トリポリリン酸ナトリウム、硫酸ナトリウム、珪酸ナトリウム、メタ珪酸ナトリウム、エタン−１−ヒドロキシ−１，１−ジホスホン酸ナトリウム、エチレンジアミン四酢酸ナトリウム、クエン酸ナトリウム、ポリアクリル酸／ポリマレイン酸ナトリウム共重合高分子化合物が好ましい。
【００４０】
本発明の食器洗浄機用洗浄剤組成物は、洗浄性の観点から、酵素〔以下、（Ｄ）成分という〕を含有することが好ましい。
【００４１】
＜（Ｄ）成分＞
（Ｄ）成分としては、具体的には、セルラーゼ、プロテアーゼ、リパーゼ、アミラーゼ、エステラーゼ、ペクチナーゼ、ラクターゼおよびペルオキシダーゼを挙げることができ、特に、洗浄性の観点から、プロテアーゼ、アミラーゼが好ましい。
【００４２】
プロテアーゼとして使用できる市販の酵素としては、アルカラーゼ、サビナーゼ、エバラーゼ、カンナーゼ、エスペラーゼ（ノボノルディスクバイオインダストリー社製）、オボザイム、プラフェクト、プロペラーゼ、プラフェクトＯＸ（ジェネンコア・インターナショナル社製）を挙げることができる。
【００４３】
アミラーゼとして使用できる市販の酵素としては、ラピダーゼ（ギスト−ブロカーズ社製）、およびターマミル、デュラミル、ステインザイム（ノボノルディスクバイオインダストリー社製）、プラスターＳＴ、プラスターＯｘＡｍを挙げることができる。
【００４４】
本発明の食器洗浄機用洗浄剤組成物は、プロテアーゼとアミラーゼを併用することができる。酵素タンパク量としてアミラーゼ／プロテアーゼの重量比は、洗浄性の観点から、好ましくは１／９９〜９４／６、より好ましくは２／９８〜９０／１０、更に好ましくは２０／８０〜８０／２０である。
【００４５】
＜食器洗浄機用洗浄剤組成物＞
本発明の食器洗浄機用洗浄剤組成物は、（Ａ）成分を、仕上がり性の観点から、好ましくは０．０１〜１０重量％、より好ましくは０．０５〜５重量％。更に好ましくは０．１〜３重量％。特に好ましくは０．５〜２重量％含有する。
【００４６】
本発明の食器洗浄機用洗浄剤組成物は、（Ｂ）成分を、洗浄力の観点から、好ましくは０．０１〜５０重量％、より好ましくは０．０５〜３０重量％、更に好ましくは０．１〜２０重量％、特に好ましくは０．５〜１０重量％含有する。
【００４７】
本発明の食器洗浄機用洗浄剤組成物は、使用にあっては水等で適当な濃度に希釈した洗浄液として用いられることが好ましく、かかる洗浄液中の（Ａ）成分の濃度は、仕上がり性の観点から、好ましくは０．１〜１，０００ｐｐｍ（重量比）、より好ましくは０．５〜５００ｐｐｍ、更に好ましくは１〜３００ｐｐｍ、特に好ましくは３〜１００ｐｐｍである。また、かかる洗浄液中の（Ｂ）成分の濃度は、洗浄力の観点から、好ましくは０．１〜１，０００ｐｐｍ、より好ましくは０．５〜５００ｐｐｍ、更に好ましくは１〜１００ｐｐｍ、特に好ましくは５〜５０ｐｐｍである。
【００４８】
本発明の食器洗浄機用洗浄剤組成物は、（Ｃ）成分を、洗浄性、金属イオン封鎖性、及び再汚染防止性の観点から、好ましくは１６〜９５重量％、更に好ましくは２０〜９５重量％以上、特に好ましくは４０〜９５重量％、最も好ましくは６０〜９５重量％含有する。
【００４９】
また、洗浄液中の（Ｃ）成分の濃度は、金属イオン封鎖性の観点から、５０ｐｐｍ以上（重量比）であり、好ましくは８０ｐｐｍ以上、より好ましくは１００ｐｐｍ以上、更に好ましくは１５０ｐｐｍ以上、特に好ましくは２００ｐｐｍ以上、最も好ましくは２５０ｐｐｍ以上である。
【００５０】
本発明の食器洗浄機用洗浄剤組成物は、（Ｄ）成分を、洗浄性の観点から、好ましくは０．１〜１０重量％、より好ましくは０．２〜７重量％、更に好ましくは０．２〜５重量％含有する。また、使用時の洗浄液中の（Ｄ）成分の濃度は、洗浄性の観点から、好ましくは０．１〜５００ｐｐｍ（重量比）、より好ましくは０．５〜２００ｐｐｍ、更に好ましくは１〜１００ｐｐｍ、特に好ましくは５〜８０ｐｐｍである。
【００５１】
本発明の食器洗浄機用洗浄剤組成物は、（Ｄ）成分を、造粒した粒子として含有することが好ましい。粒子中の酵素タンパク量は、保存安定性の観点から、好ましくは１〜３０重量％、より好ましくは２〜２５重量％である。粒子の平均粒径は５０〜１，０００μｍが好ましく、１５０〜８００μｍがより好ましい。
【００５２】
本発明の食器洗浄機用洗浄剤組成物において、（Ａ）成分と（Ｂ）成分の重量比は、仕上がり性と洗浄性とのバランスから、好ましくは２０／１〜１／２０、更に１０／１〜１／１０、特に５／１〜１／１０、最も３／１〜１／１０が好ましい。
【００５３】
本発明の食器洗浄機用洗浄剤組成物は、２０℃における０．２重量％水溶液のｐＨが５〜１４であることが好ましい。作業安全性の観点から、５．５〜１２が好ましく、６．５〜１１がより好ましい。なお、ｐＨが５〜１４の範囲内となるならば、水酸化ナトリウム、水酸化カリウム硫酸などのｐＨ調整剤を配合してもよい。
【００５４】
本発明の食器洗浄機用洗浄剤組成物は、有機高分子化合物を含有することができる。具体的には、天然物由来のデキストリン、カラギーナン、キサンタンガム、グアーガム、ペクチン、ローカストビンガム、あるいはこれらの誘導体、加工デンプン、メチルセルロース、カルボキシメチルセルロースなどの多糖類、カチオン化グアーガム、カチオン化アラビアガム、カチオン化デンプン、カチオン化キトサン、カチオン化セルロースなどのカチオン性多糖類が挙げられる。また、ポリビニルアルコール、ポリアクリルアミド、ポリエチレンオキシドなどの合成高分子化合物などが挙げられる。これらは、保存安定性の観点から、本発明の食器洗浄機用洗浄剤組成物に対して、好ましくは０．１〜２０重量％、より好ましくは０．５〜１５重量％、更に好ましくは１〜１０重量％である。
【００５５】
本発明の食器洗浄機用洗浄剤組成物は、表面改質剤として水不溶性無機粉体を含有することができる。水不溶性無機粉体の一次粒子径は、保存安定性の観点から、好ましくは５ｎｍ〜２００μｍ、より好ましくは２０ｎｍ〜１００μｍ、更に好ましくは２０ｎｍ〜５０μｍである。具体的には、結晶性ケイ酸塩、アルミノシリケート、シリカ、アルミナが好ましい。また、水不溶性無機粉体の食器洗浄機用洗浄剤組成物中の含有量は、保存安定性の観点から、好ましくは０．０１〜１０重量％、より好ましくは０．０５〜８重量％、更に好ましくは０．１〜６重量％、特に好ましくは０．５〜５重量％である。
【００５６】
水不溶性無機粉体としてシリカを用いる場合には、アエロジル（日本アエロジル（株）製）、トクシール、ファインシール、レオロシール（（株）トクヤマ製）、サイロピュア（富士シリシア化学（株）製）等を用いることが好ましい。
【００５７】
その他、漂白剤、消泡剤、防錆剤、防腐剤、ハイドロトロープ剤、香料、水などを含有することができる。
【００５８】
上記の成分は、国際公開第９９／５８６３３号パンフレットに記載されているものを参照できる。
【００５９】
本発明の食器洗浄機用洗浄剤組成物を用いた業務用食器洗浄機による洗浄の際には、該組成物は、供給装置によって業務用食器洗浄機内部に一定量任意に移送され、適正な洗浄液の濃度が維持される。業務用食器洗浄機専用ホッパーに食器洗浄機用洗浄剤組成物が充填されたプラスチック等の容器ごと決められた方向にセットして、或いはパウチ容器等に充填された食器洗浄機用洗浄剤組成物を業務用食器洗浄機専用ホッパーに移しかえて、水や温水をスプレーやシャワーなどで食器洗浄機用洗浄剤組成物に噴霧して、溶解した洗浄液を業務用食器洗浄機内部へ供給される。
【００６０】
本発明の食器洗浄機用洗浄剤組成物は、洗浄液中の濃度が０．０１〜０．５重量％で使用されるが、経済性及び洗浄性の観点から、０．０１〜０．３重量％が好ましく、さらに０．０３〜０．２５重量％が好ましい。食器の洗浄時間は、洗浄性の観点から、１０秒〜３分が好ましく、さらに好ましくは、２０秒〜２分である。洗浄液の洗浄温度は、短時間での洗浄性を高めるためには、非常に重要で４０℃以上が好ましく、特に４０〜７０℃が好ましい。食器は洗浄された後、通常、同じ業務用食器洗浄機にて速やかに水、温水、又は７０〜９０℃の熱水で濯ぎが行われる。本発明の食器洗浄機用洗浄剤組成物は、リンス剤を用いなくても、食器の乾燥を速め、ウォータースポットの低減を可能にすることができるので、濯ぎは水、温水、又は７０〜９０℃の熱水のみで行うことができる。
【００６１】
業務用食器洗浄機により食器を連続洗浄する場合、食器による洗浄液の持ち出しや、洗浄槽への濯ぎ水のキャリーオーバーなどによって、洗浄回数とともに洗浄液の濃度が減少する。適切な洗浄液の濃度を維持するため、自動供給装置によって適正濃度となるように食器洗浄機用洗浄剤組成物が供給される。
【００６２】
食器洗浄機用洗浄剤組成物の自動供給装置としては、特に限定されるものではないが、洗浄液の濃度をセンシングし、シグナルを受信して、水や温水をスプレーやシャワー状で食器洗浄機用洗浄剤組成物に噴霧して、必要量の食器洗浄機用洗浄剤組成物を供給する。
【００６３】
この自動供給装置は、１日の洗浄回数が非常に多い業務用には好適に用いられ、洗浄回数毎の手投入に比べ、格段に手間が省けるという利点があり、またそれ以外に、１日中（洗浄中）適正濃度を維持することが容易となる。
【００６４】
本発明によれば、上記本発明の食器洗浄機用洗浄剤組成物を用いて食器洗浄機により食器を洗浄し、その後、リンス剤を含有しない濯ぎ水により濯ぎ処理を行う、食器の洗浄方法が提供される。
【実施例】
【００６５】
表１に示した配合組成の食器洗浄機用洗浄剤組成物を調製し、以下の方法で洗浄性及び仕上がり性（乾燥速度とウォータースポット）を評価した。結果を表１に示す。
【００６６】
〔１〕モデル汚垢の作製
・プラスチック製食器のモデル汚垢の作製
新品の直径２０ｃｍメラミン樹脂製皿の中央部に、卵黄４ｇを刷毛で直径約１６ｃｍの円形に均一塗布し、８０℃に設定した電気乾燥機に入れた。３０分後、卵黄を塗布したメラミン樹脂製皿を取り出して、自然冷却したものをモデル汚垢として洗浄性及び仕上がり性評価に用いた。
【００６７】
・グラスのモデル汚垢の作製
新品の１０オンスグラスに牛乳２ｇを塗布した後、６０℃にて２時間乾燥したものをモデル汚垢として仕上がり性評価に用いた。
【００６８】
〔２〕洗浄性評価
・評価方法
業務用食器洗浄機〔三洋電機（株）製  ＳＡＮＹＯ  ＤＲ５３〕の洗浄槽（３８Ｌ）に食器洗浄機用洗浄剤組成物１９ｇを投入して、５０℃の温水で溶解させた。専用ラックにモデル汚垢を塗布したメラミン樹脂製皿４枚をセットして、５０℃の洗浄液にて５０秒間洗浄した後、リンス剤を用いることなく９０℃の濯ぎ水にて１０秒間濯いだ。専用ラックからメラミン樹脂製皿を取り出し、エリスロシン色素１重量％水溶液にて着色させて、以下に示した判定基準にて洗浄性を評価した。
【００６９】
＊洗浄性の判定基準
◎；着色痕は全く認められず、完全に汚れが除去
○；僅かな着色痕を認めるが、殆どの汚れが除去
△；明らかに着色痕を認め、半量程度の汚れが残留
×；殆どに着色痕が認められ、多くの汚れが残留
【００７０】
その結果を表１に示した。本発明の食器洗浄機用洗浄剤組成物は、洗浄性に優れていることが明らかとなった。
【００７１】
〔３〕仕上がり性評価
・評価方法１
業務用食器洗浄機〔三洋電機（株）製  ＳＡＮＹＯ  ＤＲ５３〕の洗浄槽（３８Ｌ）に食器洗浄機用洗浄剤組成物１９ｇを投入して、５０℃の温水で溶解させた。専用ラックにモデル汚垢を塗布したメラミン樹脂製皿４枚をセットして、５０℃の洗浄液にて５０秒間洗浄した後、リンス剤を用いることなく９０℃の濯ぎ水にて１０秒間濯いだ。専用ラックからメラミン樹脂製皿を取り出し、２５℃にて乾燥させた。以下に示した判定基準にて乾燥速度とウォータースポットに関する仕上がり性を評価した。
【００７２】
＊乾燥速度の判定基準（１）
◎；皿１枚あたりの平均で、１時間未満で乾燥
○；皿１枚あたりの平均で、１時間以上、１時間３０分未満で乾燥
△；皿１枚あたりの平均で、１時間３０分以上、２時間未満で乾燥
×；皿１枚あたりの平均で、２時間以上で乾燥
【００７３】
＊ウォータースポットの判定基準（１）
◎；ウォータースポットの数が皿１枚あたりの平均で１０個未満
○；ウォータースポットの数が皿１枚あたりの平均で１０個以上２０個未満
△；ウォータースポットの数が皿１枚あたりの平均で２０個以上４０個未満
×；ウォータースポットの数が皿１枚あたりの平均で４０個以上
【００７４】
・評価方法２
業務用食器洗浄機〔三洋電機（株）製  ＳＡＮＹＯ  ＤＲ５３〕の洗浄槽（３８Ｌ）に食器洗浄機用洗浄剤組成物１９ｇを投入して、５０℃の温水で溶解させた。専用ラックにモデル汚垢を塗布した１０オンスグラス４個をセットして、５０℃の洗浄液にて５０秒間洗浄した後、リンス剤を用いることなく９０℃の濯ぎ水にて１０秒間濯いだ。専用ラックから８オンスグラスを取り出し、２５℃にて乾燥させた。以下に示した判定基準にて乾燥速度とウォータースポットに関する仕上がり性を評価した。
【００７５】
＊乾燥速度の判定基準（２）
◎；グラス１個あたりの平均で、１時間未満で乾燥
○；グラス１個あたりの平均で、１時間以上、１時間３０分未満で乾燥
△；グラス１個あたりの平均で、１時間３０分以上、２時間未満で乾燥
×；グラス１個あたりの平均で、２時間以上で乾燥
【００７６】
＊ウォータースポットの判定基準（２）
◎；ウォータースポットの数がグラス１個あたりの平均で１０個未満
○；ウォータースポットの数がグラス１個あたりの平均で１０個以上２０個未満
△；ウォータースポットの数がグラス１個あたりの平均で２０個以上４０個未満
×；ウォータースポットの数がグラス１個あたりの平均で４０個以上
【００７７】
その結果を表１に示した。本発明の食器洗浄機用洗浄剤組成物は、濯ぎ水にリンス剤を用いることなく、乾燥を速め、ウォータースポットを低減することが明らかとなった。
【００７８】
【表１】
2007254586.tif 000004
【００７９】
（注）表中の成分は以下のものである。
・水溶性高分子化合物（１）：（ａ１）ビニルアルコール：８６．８モル％、（ａ２）酢酸ビニル：１２．３モル％、（ａ３）塩化ジアリルジメチルアンモニウム：０．９モル％、（ａ１）／（ａ２）＝７．１、（ａ１）＋（ａ２）＋（ａ３）＝１００モル％
・水溶性高分子化合物（２）：（ａ１）ビニルアルコール：９９モル％、（ａ２）酢酸ビニル：０．７モル％、（ａ３）塩化メタクリルアミドプロピルトリメチルアンモニウム：０．３モル％、（ａ１）／（ａ２）＝１４１．４、（ａ１）＋（ａ２）＋（ａ３）＝１００モル％
・水溶性高分子化合物（３）：（ａ１）ビニルアルコール：８８．５モル％、（ａ２）酢酸ビニル：９．８モル％、（ａ３）塩化メタクリルアミドプロピルトリメチルアンモニウム：１．７モル％、（ａ１）／（ａ２）＝９．０、（ａ１）＋（ａ２）＋（ａ３）＝１００モル％
・水溶性高分子化合物（４）：（ａ１）ビニルアルコール：７７モル％、（ａ２）酢酸ビニル：２２．９５モル％、（ａ３）塩化メタクリルアミドプロピルトリメチルアンモニウム：０．０５モル％、（ａ１）／（ａ２）＝３．４、（ａ１）＋（ａ２）＋（ａ３）＝１００モル％
・ノニオン性界面活性剤（１）：PO・EO・POブロックポリマー、Pluronic RPE2520（BASF社製）
・ノニオン性界面活性剤（２）：脂肪族アルコールアルコキシレート、Plurafac LF403（BASF社製）
・ノニオン性界面活性剤（３）：分岐鎖脂肪族アルコールアルコキシレート、ソフタノール７０Ｈ（（株）日本触媒製）
・アクリル酸／マレイン酸コポリマー、ナトリウム塩（１）：Sokalan CP5 Granules（BASF社製）
・酵素（１）：アミラーゼ（ターマミル60T、ノボノルディスクバイオインダストリー社製）